(57)【要約】【課題】公衆電話回線網を利用したインターネット接続サービスを利用しながら先行配線された他の電話コンセントに接続した電話機やファクシミリ等の既存の通信機器を使用可能とする。【解決手段】建物Ｈ内に配線される第１の通信経路１と、第１の通信経路１上に設けられて建物Ｈ内に配設される複数の主電話コンセント２１〜２３と、建物Ｈ内に配設される第２の通信経路３と、第２の通信経路３上に設けられて建物Ｈ内に配設される副電話コンセント４と、公衆電話回線網の加入者線２０を第１の通信経路１又は第２の通信経路３に択一的に切り換えて接続する切換接続装置５と、建物Ｈ内に配設され少なくとも１つの主電話コンセント２１、副電話コンセント４並びに切換接続装置５を収容するパネル６とを備える。【選択図】　　　　図１
2004112063.tif 000002
【特許請求の範囲】
【請求項１】
建物内に配線される第１の通信経路と、第１の通信経路上に設けられて建物内に配設される複数の主電話コンセントと、建物内に配設される第２の通信経路と、第２の通信経路上に設けられて建物内に配設される副電話コンセントと、公衆電話回線網の加入者線を第１の通信経路又は第２の通信経路に択一的に切り換えて接続する切換接続装置と、建物内に配設され少なくとも１つの主電話コンセント、副電話コンセント並びに切換接続装置を収容するパネルとを備えたことを特徴とする配線システム。
【請求項２】
建物内に配設される１乃至複数のＬＡＮ用通信経路と、これらＬＡＮ用通信経路上に設けられる複数のＬＡＮコンセントとを備えたことを特徴とする請求項１記載の配線システム。
【発明の詳細な説明】
【０００１】
【発明の属する技術分野】
本発明は、住宅やオフィスビルなどの建物内に電話線などからなる通信経路を先行配線した配線システムに関するものである。
【０００２】
【従来の技術】
従来、建物（例えば、住宅）Ｈ内に電話線を先行配線する場合、図３に示すように公衆電話回線網の加入者線２０を保安器２１から建物Ｈ内に導入し、２芯の電話線２２で建物Ｈ内の複数箇所に配設された電話コンセント２３に送り配線していた。
【０００３】
近年、インターネットの普及に伴って既存の加入者線から公衆電話回線網を経由してインターネットに接続するインターネット接続サービス、例えば、ＩＳＤＮやｘＤＳＬが提供されており、電話機やファクシミリ等の通信機器以外にターミナルアダプタやｘＤＳＬモデム等のインターネット用の通信機器が使用される機会が非常に増加してきている。
【０００４】
このような状況下において、電話機やファクシミリ等の通信機器と、ターミナルアダプタやｘＤＳＬモデム等のインターネット用の通信機器とが同時に使用できるようにした配線システムも提案されている（特許文献１参照）。
【０００５】
【特許文献１】
特開２００１−３３３２０５号公報（段落００２０〜段落００２６、第１図及び第２図）
【０００６】
【発明が解決しようとする課題】
ところで、図３に示した従来例においては、ＩＳＤＮやｘＤＳＬによるインターネット接続サービスを受ける場合、ＤＳＵやスプリッタを接続した電話コンセント２３以外の電話コンセントが使用できなくなり、配線の自由度が大幅に制約されてしまうという問題があった。なお、特許文献１に記載されている他の従来例では、通信機器接続切換装置３０にＩＳＤＮのターミナルアダプタ及びＤＳＵの機能を持たせているが、最近になってＩＳＤＮに取って代わって急激に普及しているＡＤＳＬには対応しておらず、ＡＤＳＬのスプリッタを接続した電話コンセント以外の電話コンセントが使用できなくなる点で図３の従来例と大差はない。
【０００７】
本発明は上記事情に鑑みて為されたものであり、その目的は、ＩＳＤＮやｘＤＳＬ等の公衆電話回線網を利用したインターネット接続サービスを利用しながら先行配線された他の電話コンセントに接続した電話機やファクシミリ等の既存の通信機器を使用することができて使い勝手に優れた配線システムを提供することにある。
【０００８】
【課題を解決するための手段】
請求項１の発明は、上記目的を達成するために、建物内に配線される第１の通信経路と、第１の通信経路上に設けられて建物内に配設される複数の主電話コンセントと、建物内に配設される第２の通信経路と、第２の通信経路上に設けられて建物内に配設される副電話コンセントと、公衆電話回線網の加入者線を第１の通信経路又は第２の通信経路に択一的に切り換えて接続する切換接続装置と、建物内に配設され少なくとも１つの主電話コンセント、副電話コンセント並びに切換接続装置を収容するパネルとを備えたことを特徴とする。
【０００９】
請求項２の発明は、請求項１の発明において、建物内に配設される１乃至複数のＬＡＮ用通信経路と、これらＬＡＮ用通信経路上に設けられる複数のＬＡＮコンセントとを備えたことを特徴とする。
【００１０】
【発明の実施の形態】
（実施形態１）
図１に示すように本実施形態の配線システムは、建物Ｈ内に配線される第１の通信経路１と、第１の通信経路１上に設けられて建物Ｈ内に配設される複数の主電話コンセント２１〜２３と、建物Ｈ内に配設される第２の通信経路３と、第２の通信経路３上に設けられて建物Ｈ内に配設される副電話コンセント４と、公衆電話回線網の加入者線２０を第１の通信経路１又は第２の通信経路３に択一的に切り換えて接続する切換接続装置５と、建物Ｈ内に配設され少なくとも１つの主電話コンセント２１、副電話コンセント４並びに切換接続装置５を収容するパネル６とを備えている。
【００１１】
パネル６は建物Ｈ内の目立ちにくい適当な場所の壁面などに設置され、例えば蓋付の箱形に形成される。そして、パネル６内には保安器２１を介して公衆電話回線網の加入者線２０が導入されており、パネル６に収容された切換接続装置５の共通接点ブロックｃに加入者線２０の一端が接続される。
【００１２】
切換接続装置５は共通接点ブロックｃと、２つの切換接点ブロックａ，ｂと、共通接点ブロックｃを何れかの切換接点ブロックａ，ｂに択一に切り換えて接続する接点切換機構（図示せず）とを具備しており、接点切換機構を操作することで共通接点ブロックｃを接続する切換接点ブロックａ，ｂを選択するようになっている。このような構造は従来周知の技術を利用して容易に実現可能であるから、詳細な構造の図示並びに説明は省略する。
【００１３】
切換接続装置５の一方の切換接点ブロックａには電話ケーブルからなる第１の通信経路１が接続され、この第１の通信経路１が建物Ｈ内に先行配線される。第１の通信経路１上に設けられる主電話コンセント２１〜２３はＲＪ−１１のモジュラコネクタで構成され、そのうちの一つの主電話コンセント２１がパネル６に収容され、残り２つの主電話コンセント２２，２３が建物Ｈ内の要所における壁面に既存の大角形連用配線器具の取付枠（ＪＩＳ　Ｃ　８３７５参照）及びフラッシプレート（ＪＩＳ　Ｃ　８３１６参照）を用いて埋込配設されている。
【００１４】
切換接続装置５の他方の切換接点ブロックｂには電話ケーブルからなる第２の通信経路３が接続され、この第２の通信経路３が建物Ｈ内に先行配線される。第２の通信経路３上に設けられる副電話コンセント４はＲＪ−１１のモジュラコネクタで構成されてパネル６に収容される。
【００１５】
而して、ＩＳＤＮやｘＤＳＬ等のインターネット接続サービスを利用しない場合には、切換接続装置５を操作して共通接点ブロックｃを一方の切換接点ブロックａに接続して加入者線２０を第１の通信経路１に接続すればよく、第１の通信経路１上に設けられた複数の主電話コンセント２２，２３に電話機やファクシミリ等を接続して何れの主電話コンセント２２，２３でも使用することができる。
【００１６】
一方、ＩＳＤＮやｘＤＳＬ等のインターネット接続サービスを利用する場合には、切換接続装置５を操作して共通接点ブロックｃを他方の切換接点ブロックｂに接続して加入者線２０を第２の通信経路３に接続すればよい。そして、ｘＤＳＬの場合であれば、第２の通信経路３上に設けられている副電話コンセント４にスプリッタ１０のライン端子をモジュラケーブル１１で接続するとともにスプリッタ１０の電話端子をモジュラケーブル１１で主電話コンセント２１に接続する。さらに、スプリッタ１０のモデム端子にＤＳＬモデム１２を接続し、このＤＳＬモデム１２にパーソナルコンピュータ１３を接続する。なお、他の主電話コンセント２２，２３には電話機（あるいはファクシミリ）１４を接続する。このように配設すれば、パーソナルコンピュータ１３を使ってインターネット接続サービスを受けることができるとともに、主電話コンセント２２，２３に接続した電話機１４で通常の通話もできる。
【００１７】
なお、ＩＳＤＮの場合には、副電話コンセント４にＤＳＵを接続し、ＤＳＵに接続したターミナルアダプタのアナログポートを主電話コンセント２１に接続するとともに、ターミナルアダプタのシリアルポートにパーソナルコンピュータ１３を接続すればよい。但し、ターミナルアダプタの代わりにルータの機能を併せ持った所謂ダイヤルアップルータを接続することも可能である。
【００１８】
本実施形態は上述のように構成したものであるから、ＩＳＤＮやｘＤＳＬ等のインターネット接続サービスを利用しない場合は、切換接続装置５にて加入者線２０を第１の通信経路１に切り換えて接続することで従来例と同様に第１の通信経路１上に設けられた複数の主電話コンセント２１〜２３の何れかに電話機１４やファクシミリ等の通信機器を接続しても他の主電話コンセント２１〜２３が使用可能であり、ＩＳＤＮやｘＤＳＬ等のインターネット接続サービスを利用する場合には、切換接続装置５にて加入者線２０を第２の通信経路３に切り換えて接続し、副電話コンセント４にＤＳＵとターミナルアダプタあるいはスプリッタ１０とｘＤＳＬモデム１２等の通信機器を接続し、こられの通信機器が具備する電話信号用の端子を主電話コンセント２１に接続することによって、ＩＳＤＮやｘＤＳＬ等の公衆電話回線網を利用したインターネット接続サービスを利用しながら先行配線された主電話コンセント２２，２３に接続した電話機１４やファクシミリ等の既存の通信機器を使用することができて使い勝手に優れるという利点がある。しかも、第１及び第２の通信経路１，３を先行配線しているので新たな配線工事を行う必要がなく、建物Ｈ内の美観が損なわれることもないものである。
【００１９】
（実施形態２）
本実施形態は、実施形態１の配線システムに対して、建物Ｈ内に配設される複数のＬＡＮ用通信経路７，９と、これらＬＡＮ用通信経路７，９上に設けられる複数のＬＡＮコンセント８１，８２、１０１，１０２とを備えた点に特徴があり、これ以外の点は実施形態１と共通である。よって、実施形態１と共通する構成要素には同一の符号を付して説明を省略する。
【００２０】
パネル６には２つのＬＡＮコンセント８１，１０１が収容されており、各ＬＡＮコンセント８１，１０１にはＬＡＮケーブル（例えば、エンハンストカテゴリ５のツイストペアケーブル）からなり建物Ｈ内に先行配線されるＬＡＮ用通信経路７，９の一端が接続され、これらＬＡＮ用通信経路７，９の他端にもそれぞれＬＡＮコンセント８２，１０２が接続されている。なお、ＬＡＮコンセント８１，８２、１０１，１０２はＲＪ−４５のモジュラコネクタで構成されている。
【００２１】
而して、ＬＡＮに対応したＤＳＬモデム１２やターミナルアダプタを使用する際、ＤＳＬモデム１２やターミナルアダプタのＬＡＮ端子にハブ１５を接続し、そのハブ１５のポートをＬＡＮケーブル１６でＬＡＮコンセント８１，１０１に接続することによって建物Ｈ内で容易にＬＡＮを構築することができる。
【００２２】
【発明の効果】
請求項１の発明は、建物内に配線される第１の通信経路と、第１の通信経路上に設けられて建物内に配設される複数の主電話コンセントと、建物内に配設される第２の通信経路と、第２の通信経路上に設けられて建物内に配設される副電話コンセントと、公衆電話回線網の加入者線を第１の通信経路又は第２の通信経路に択一的に切り換えて接続する切換接続装置と、建物内に配設され少なくとも１つの主電話コンセント、副電話コンセント並びに切換接続装置を収容するパネルとを備えたことを特徴とし、ＩＳＤＮやｘＤＳＬ等のインターネット接続サービスを利用しない場合は切換接続装置にて加入者線を第１の通信経路に切り換えて接続することで従来例と同様に第１の通信経路上に設けられた複数の主電話コンセントの何れかに電話機やファクシミリ等の通信機器を接続しても他の主電話コンセントが使用可能であり、ＩＳＤＮやｘＤＳＬ等のインターネット接続サービスを利用する場合には切換接続装置にて加入者線を第２の通信経路に切り換えて接続し、副電話コンセントにＤＳＵとターミナルアダプタあるいはスプリッタとｘＤＳＬモデム等の通信機器を接続し、こられの通信機器が具備する電話信号用の端子を主電話コンセントに接続することでＩＳＤＮやｘＤＳＬ等の公衆電話回線網を利用したインターネット接続サービスを利用しながら先行配線された主電話コンセントに接続した電話機やファクシミリ等の既存の通信機器を使用することができて使い勝手に優れた配線システムが提供できる。
【００２３】
請求項２の発明は、請求項１の発明において、建物内に配設される１乃至複数のＬＡＮ用通信経路と、これらＬＡＮ用通信経路上に設けられる複数のＬＡＮコンセントとを備えたことを特徴とし、建物内で容易にＬＡＮを構築することができる。
【図面の簡単な説明】
【図１】実施形態１を示すシステム構成図である。
【図２】実施形態２を示すシステム構成図である。
【図３】従来例を示すシステム構成図である。
【符号の説明】
１　第１の通信経路
２１〜２３　主電話コンセント
３　第２の通信経路
４　副電話コンセント
５　切換接続装置
２０　加入者線
【図１】
2004112063.tif 000003
【図２】
2004112063.tif 000004
【図３】
2004112063.tif 000005